(57)【要約】【課題】簡易な構成で自動的に突出及び収納されるアンテナを備える電子装置を提供する。【解決手段】電子装置１０は、本体１１と、カバー１２と、アンテナ１３と、伝達ユニット１４とを備える。カバー１２は、回転可能な方式で本体に取り付けられ、アンテナ１３は、回転可能な方式で本体に取り付けられている。伝達ユニットは、カバー１３とアンテナ１３に接続され、カバー１２が本体１１に対して回転する時、アンテナ１３は伝達ユニットにより、本体１１に対して回転する。【選択図】　図１ｂ
2004112786.tif 000002
【特許請求の範囲】
【請求項１】
　電子装置であって、
　本体と、
　回転可能な方式で前記本体に取り付けられたカバーと、
　回転可能な方式で前記本体に取り付けられたアンテナと、
　前記カバーと前記アンテナに接続された伝達ユニットと、
　を備え、
　前記カバーが前記本体に対して回転する時、前記アンテナは、前記伝達ユニットにより、前記本体に対して回転することを特徴とする電子装置。
【請求項２】
　更に、第一回転軸と第二回転軸とを備え、
　前記第一回転軸は、前記カバーに接続され、前記カバーが前記本体に対し回転する時、前記カバーにより回転し、
　前記第二回転軸は、前記アンテナに接続され、
　前記第二回転軸が回転する時、前記アンテナが前記本体に対し回転することを特徴とする請求項１に記載の電子装置。
【請求項３】
　前記伝達ユニットは、
　前記第一回転軸上に設置され、前記第一回転軸に沿って回転する第一ギアと、
　前記第二回転軸上に設置され、前記第一ギアと係合する第二ギアと、
からなり、
　前記アンテナは前記第二ギアを通じて、前記第一ギアにより回転することを特徴とする請求項２に記載の電子装置。
【請求項４】
　前記第一ギア及び第二ギアは傘歯車であることを特徴とする請求項３に記載の電子装置。
【請求項５】
　前記第一ギアには、第一歯欠き部が形成され、前記第二ギアが前記第一ギアの前記第一歯欠き部に対向する時、前記第二ギアは前記第一ギアに伴って回転しないことを特徴とする請求項３に記載の電子装置。
【請求項６】
　前記第二ギアには、第二歯欠き部が形成され、前記第一ギアが前記第二ギアの前記第二歯欠き部に対向する時、前記第二ギアは前記第一ギアに伴って回転しないことを特徴とする請求項３に記載の電子装置。
【請求項７】
　前記伝達ユニットは、
　前記本体に取り付けられ、前記カバーの前記位置を感知し信号を出力するセンサーと、
　前記センサーに結合され、前記センサーからの信号を受信し、信号を出力するコントローラーと、
　前記コントローラーに結合され、前記コントローラーからの前記信号に基づいて、前記アンテナを回転させるモーターと、
　を備えることを特徴とする請求項１に記載の電子装置。
【請求項８】
　前記伝達ユニットは前記本体内に設置されることを特徴とする請求項１に記載の電子装置。
【請求項９】
　前記カバーはスクリーンであることを特徴とする請求項１に記載の電子装置。
【請求項１０】
　前記電子装置はモバイル電話であることを特徴とする請求項１に記載の電子装置。
【請求項１１】
　前記電子装置はPDAであることを特徴とする請求項１に記載の電子装置。
【請求項１２】
　電子装置であって、
　本体と、
　回転可能な方式で前記本体に取り付けられたディスプレイと、
　回転可能な方式で前記本体に取り付けられたアンテナと、
　前記ディスプレイと前記アンテナに接続された伝達ユニットと、
　を備え、
　前記ディスプレイが前記本体に対して回転する時、前記アンテナは、前記伝達ユニットにより、前記本体に対して回転することを特徴とする電子装置。
【請求項１３】
　更に、第一回転軸と第二回転軸とを備え、
　前記第一回転軸は、前記ディスプレイに接続され、前記ディスプレイが前記本体に対し回転する時、前記ディスプレイにより回転し、
　前記第二回転軸は、前記アンテナに接続され、
　前記第二回転軸が回転する時、前記アンテナが前記本体に対し回転することを特徴とする請求項１２に記載の電子装置。
【請求項１４】
　前記伝達ユニットは、
　前記第一回転軸上に設置され、前記第一回転軸に沿って回転する第一ギアと、
　前記第二回転軸上に設置され、前記第一ギアと係合する第二ギアと、
からなり、
　前記アンテナは前記第二ギアを通じて、前記第一ギアにより回転することを特徴とする請求項１３に記載の電子装置。
【請求項１５】
　前記第一ギア及び第二ギアは、傘歯車であることを特徴とする請求項１４に記載の電子装置。
【請求項１６】
　前記第一ギアには、第一歯欠き部が形成され、前記第二ギアが前記第一ギアの前記第一歯欠き部に対向する時、前記第二ギアは前記第一ギアに伴って回転しないことを特徴とする請求項１４に記載の電子装置。
【請求項１７】
　前記第二ギアには、第二歯欠き部が形成され、前記第一ギアが前記第二ギアの前記第二歯欠き部に対向する時、前記第二ギアは前記第一ギアに伴って回転しないことを特徴とする請求項１４に記載の電子装置。
【請求項１８】
　前記伝達ユニットは、
　前記本体に取り付けられ、前記カバーの前記位置を感知し信号を出力するセンサーと、
　前記センサーに結合され、前記センサーからの信号を受信し、信号を出力するコントローラーと、
　前記コントローラーに結合され、前記コントローラーからの前記信号に基づいて、前記アンテナを回転させるモーターと、
　を備えることを特徴とする請求項１２に記載の電子装置。
【請求項１９】
　前記伝達ユニットは前記本体内に設置されることを特徴とする請求項１２に記載の電子装置。
【請求項２０】
　前記電子装置はモバイル電話であることを特徴とする請求項１２に記載の電子装置。
【請求項２１】
　前記電子装置はPDAであることを特徴とする請求項１２に記載の電子装置。
【発明の詳細な説明】
【技術分野】
【０００１】
　本発明は、電子装置に関するもので、特に、自動的に突出及び格納されるアンテナを備える電子装置に関するものである。
【背景技術】
【０００２】
　例えば、モバイル電話、PDA(Personal Digital Assistant)、高度自動機能電話等の一般の情報技術製品において、アンテナは、大まかに二種に分けられる。
　一つは、アンテナが本体から突出する方式で、装置上に取り付けられているものである。また、アンテナは収縮が出来ない。もう一つのタイプは伸縮可能なアンテナである。
【発明の開示】
【発明が解決しようとする課題】
【０００３】
　しかしながら、アンテナが本体から突出する方式では、製品全体に占領される空間は不完全で、製品が狭い空間に格納される時、アンテナは損傷を受けやすい。
　また、伸縮可能なアンテナでは、ユーザーにより引き出したり、押し入れたりする動作があって初めて、好ましい通信効果と収納が可能であり、使い勝手がよくない。
【０００４】
　本発明は、簡易な構成で自動的に突出及び格納されるアンテナを備える電子装置を提供することを目的とする。
　本発明は、電子装置全外観に符合するアンテナを備える電子装置を提供することをもう一つの目的とする。
【０００５】
　本発明は、電子装置により駆動されるアンテナを備える電子装置を提供することを更なる目的とする。つまり、電子装置のカバーが開く時、アンテナが突出して、好ましいアンテナ効果を得ることができる。また、カバーが閉じる時、アンテナが電子機器に収容される。
【課題を解決するための手段】
【０００６】
　上述の目的を達成するため、本発明は、自動アンテナを備える電子装置を提供する。電子装置は、本体と、カバーと、アンテナと、伝達ユニットとを備える。カバーは、回転可能な方式で本体に取り付けられ、アンテナは、回転可能な方式で本体に取り付けられている。伝達ユニットは、カバーとアンテナに接続され、カバーが本体に対して回転する時、アンテナは伝達ユニットにより、本体に対して回転する。
【０００７】
　好ましい形態において、電子装置は更に、第一回転軸及び第二回転軸を備える。第一回転軸はカバーに接続され、カバーが本体に対して回転する時、カバーにより回転する。第二回転軸はアンテナに接続され、第二回転軸が回転する時、アンテナは本体に対して回転する。
【０００８】
　更に、伝達ユニットは、第一ギア及び第二ギアを備える。第一ギアは第一回転軸に取り付けられて、第一回転軸に沿って回転する。第二回転軸に取り付けられた第二ギアは、第一ギアと係合して、アンテナは第二ギアを通じて、第一ギアにより回転する。
【０００９】
　更に、第一ギア及び第二ギアはどちらも、傘歯車（bevel  gear）である。
　もう一つの好ましい形態において、第一ギアにはギアの歯がない第一歯欠き部（toothless  portion）が形成され、第二ギアが第一ギアの第一歯欠き部に対向する時、第二ギアは第一ギアに伴って回転しない。
【００１０】
　もう一つの好ましい形態において、第二ギアには第二歯欠き部が形成され、第一ギアが第二ギアの第二歯欠き部に対向する時、第二ギアは第一ギアに伴って回転しない。
　もう一つの好ましい形態において、伝達ユニットは、センサーと、コントローラーと、モーターとを備える。センサーは、本体に取り付けられ、カバーの位置を感知し、信号を出力する。コントローラーは、センサーに結合され、センサーからの信号を受信し、信号を出力する。モーターはコントローラーに結合され、コントローラーからの信号に基づいて、アンテナを回転させる。
【００１１】
　もう一つの好ましい形態において、伝達ユニットは本体内に設置される。
　もう一つの好ましい形態において、カバーはスクリーンを備える。
　電子装置はモバイル機器、或いはPDAである。
【発明を実施するための最良の形態】
【００１２】
　上述した本発明の目的、特徴、及び長所をいっそう明瞭にするため、以下に本発明の好ましい実施の形態を挙げ、図を参照にしながらさらに詳しく説明する。
　（第一実施形態）
　図１ａ〜図１ｃ、図２ａ及び図２ｂは、本発明の第一実施形態を示す図である。本実施形態において、電子装置１０は、本体１１、カバー１２、アンテナ１３、伝達ユニット１４、第一回転軸１５、第二回転軸１６を備える。
【００１３】
　本体１１は、電子装置１０の基本ユニットで、複数のボタン１１１を備える。電子装置１０が必要とするその他のユニット（図示しない）は、本体１１内に設置されている。
　カバー１２は、回転可能方式で本体１１に設置されており、スクリーン１２１を備え、電子装置１０に関する関連情報を表示する。スクリーン１２１を備えるカバー１２は、ディスプレイである。スクリーンは本体１１に取り付けられている。
【００１４】
　アンテナ１３は、本体１１に回転可能な方式で設置され、電子装置１０の通信作用を増強する。
　図２ａ及び図２ｂを参照すると、第一回転軸１５は、本体１１及びカバー１２を貫通して、それらを接続している。第二回転軸１６は、本体１１とアンテナ１３を貫通して、それらを接続している。伝達ユニット１４は第一ギア１４１及び第二ギア１４２を備える。第一ギア１４１は第一回転軸１５に設置されて、第一回転軸に沿って回転する。第二ギア１４２は、第二回転軸１６に設置され、第一ギア１４１と接する。第二回転軸１６は、第二ギア１４２を通じて第一ギア１４１によって回転される。
【００１５】
　このような設置方式により、伝達ユニット１４は本体１１内に設置され、第一回転軸１５を通じてカバー１２に接続され、第二回転軸１６を通じて、アンテナ１３に接続される。よって、カバー１２が本体１１に対し回転する時、第一回転軸１５はカバー１２の回転に伴って、本体１１内で回転する。その後、第二回転軸１６は、第一ギア１４１及び第二ギア１４２を通じて、第一回転軸１５により回転され、アンテナ１３は第二回転軸１６により回転される。
【００１６】
　第一ギア１４１及び第二ギア１４２は、傘歯車である。
　カバー１２が、図１ａで示される位置から、図１ｂで示される位置に回転する時、カバー１２は本体１１に対し９０度回転する。同時に、アンテナ１３も本体１１に対し９０度回転する。しかし、カバー１２が、図１ｂで示される位置から、図１ｃで示される位置に回転する時、カバー１２は本体１１に対し９０度以上回転する。同時に、アンテナ１３は電子装置１０の構造の制限のために、図１ｂで示される位置で保持される。
【００１７】
　上述のように、本実施形態のアンテナ１３はカバー１２の回転に伴い自動的に移動するので、操作が便利である。
　更に、アンテナ１３は本体１１とカバー横に完全に収容され、電子装置１０の全外観は魅力的である。
【００１８】
　（第二実施形態）
　図３ａ、図４ａ〜図４ｃは、本発明の第二実施形態による電子装置を示す図である。本実施形態において、電子装置１０は、本体１１、カバー１２、アンテナ１３、伝達ユニット１４ａ、第一回転軸１５、第二回転軸１６を備える。本実施形態において、注意すべきことは、本体１１、カバー１２、アンテナ１３、第一回転軸１５、及び第二回転軸１６は、第一実施形態と同様であり、ここで詳細は説明を省略する。
【００１９】
　本実施形態において、伝達ユニット１４ａは、第一ギア１４１ａ及び第二ギア１４１ｂを備える。第一実施形態と第二実施形態の差異は、図３ａで示されるように、第一ギア１４１ａが、第一歯欠き部１４１１を形成していることである。よって、第二ギア１４２ａが第一ギア１４１ａの第一歯欠き部１４１１に対向する時、第二ギア１４２ａは第一ギア１４１ａに伴って回転しない。
【００２０】
　第一ギア１４１ａの第一歯欠き部１４１１により、カバー１２が、本体１１に接する位置から、図４ａで示される位置に回転する時、アンテナ１３は元の位置で保持される。特に、図４ａで示されるように、カバー１２が本体１１に対して角度θ１で回転する時、第二ギア１４２は、第一ギア１４１ａの第一歯欠き部１４１１に対向するように設定されるので、アンテナ１３は第二ギア１４２により駆動されず、元の位置で保持される。更に、カバー１２が、図４ａで示される位置から、図４ｂで示される位置に、本体１１に対し角度（θ１＋θ２）で回転する時、アンテナ１３は本体１１に対し角度θ２で回転する。更に、カバー１２が図４ｂで示される位置から、図４ｃで示される位置に、本体１１に対し角度（θ１＋θ３）で回転する時、アンテナ１３は本体１１に対し角度θ３で回転する。
【００２１】
　上述のように、第一ギア１４１ａの第一歯欠き部１４１１により、カバー１２が所定角度で回転した後、アンテナ１３が回転し始める。よって、アンテナ１３とカバー１２間の関係は可変である。
【００２２】
　注意すべきことは、上述の効果を達成するために、歯欠き部は、第一ギア１４１の上に形成することに限定していないことである。例えば、図３ｂで示されるように、伝達ユニット１４ａ’の第二ギア１４２ａ’は、第二歯欠き部１４２１を形成している。よって、第一ギア１４１ａ’が第二ギア１４２ａ’の第二歯欠き部１４２１に対向する時、第二ギア１４２ａ’は第一ギア１４１ａ’に伴って回転しない。
【００２３】
　（第三実施形態）
　図５は、本発明の第三実施形態の電子装置を示す図である。本実施形態において、電子装置１０ｂは、本体１１、カバー１２、アンテナ１３、伝達ユニット１４ｂを備える。注意すべきことは、本実施形態において、本体１１、カバー１２、アンテナ１３は、第一実施形態と同様であり、ここで詳細な説明は省略する。
【００２４】
　第一実施形態と第三実施形態間の差異は、本第三実施形態の伝達ユニット１４ｂは、センサー１７、コントローラー１８、モーター１９を備えることである。
　センサー１７は、本体１１に取り付けられ、カバー１２の位置を感知し、信号を出力する。特に、カバー１２の臨界角度の所定値が、設計者により予め設定されている。カバー１２がその所定値を超過して回転する時、センサー１７は信号をコントローラー１８に出力する。
【００２５】
　コントローラー１８は、センサー１７に結合され、センサー１７から信号を受信し、信号を出力し、センサー１７からの信号に基づいて、モーター１９を制御する。モーター１９はコントローラー１８に接合され、コントローラー１８からの信号に基づいてアンテナ１３を回転させる。
【００２６】
　上述のように、カバー１２が本体１１に対し、所定角度以上に回転した後、センサー１７がこの状態を検出し、コントローラー１８を通じてモーター１９を作動して、アンテナ１３を回転させる。
【００２７】
　よって、本実施形態において、アンテナ１３は、カバー１２の回転に伴って回転することが出来る。
【図面の簡単な説明】
【００２８】
【図１ａ】本発明の第一実施形態による電子装置を示す図である。
【図１ｂ】同じく、電子装置を示す図である。
【図１ｃ】同じく、電子装置を示す図である。
【図２ａ】図１ａの電子装置の伝達ユニットを示す図である。
【図２ｂ】図２ａの部分拡大図である。
【図３ａ】本発明の第二実施形態による伝達ユニットを示す図である。
【図３ｂ】図３ａの伝達ユニットの変形例を示す図である。
【図４ａ】本発明の第二実施形態による電子装置を示す図である。
【図４ｂ】同じく、電子装置を示す図である。
【図４ｃ】同じく、電子装置を示す図である。
【図５】本発明の第三実施形態による電子装置を示す図である。
【符号の説明】
【００２９】
　１０，１０ａ，１０ｂ…電子装置、１１…本体、１１１…ボタン、１２…カバー、１２１…スクリーン、１３…アンテナ、１４，１４ａ，１４ａ’，１４ｂ…伝達ユニット、１４１，１４１ａ，１４１ａ’…第一ギア、１４１１…第一歯欠き部、１４２，１４２ａ，１４２ａ’…第二ギア、１４２１…第二歯欠き部、１５…第一回転軸、１６…第二回転軸、１７…センサー、１８…コントローラー、１９…モーター。
【図１ａ】
2004112786.tif 000003
【図１ｂ】
2004112786.tif 000004
【図１ｃ】
2004112786.tif 000005
【図２ａ】
2004112786.tif 000006
【図２ｂ】
2004112786.tif 000007
【図３ａ】
2004112786.tif 000008
【図３ｂ】
2004112786.tif 000009
【図４ａ】
2004112786.tif 000010
【図４ｂ】
2004112786.tif 000011
【図４ｃ】
2004112786.tif 000012
【図５】
2004112786.tif 000013